(57)【要約】      （修正有）【課題】フィット性にすぐれ、低コストで生産出来、しかも、耐久性にも富むノーズパッドを提供する。【解決手段】メガネフレームから延設されている金属製のノーズパッド取付足５の先端に取付けられたパッドボックス７に挿入連結されるパッドボックス結合ブロック６を、軸芯方向に向ってくびれた柱状の接続片３を介して軟質合成樹脂製のノーズパッド本体１の裏面側に一体的に突設した。【選択図】図２
0003234977.tif 000002
【実用新案登録請求の範囲】
【請求項１】
メガネフレームから延設されている金属製のノーズパッド取付足の先端に取付けられたパッドボックスに挿入連結されるパッドボックス結合ブロックが、軸芯方向に向ってくびれた柱状の接続片を介してノーズパッド本体の裏面側に一体的に突設されていることを特徴とする軟質合成樹脂製のノーズパッド。
【考案の詳細な説明】
【技術分野】
【０００１】
この考案はメガネの構成部品、詳しくは、メガネフレームをメガネ装用者の顔面に保持させる為のノーズパッドに関するものである。
【背景技術】
【０００２】
ノーズパッドはメガネフレームに必須の構成部品であり、このノーズパッドがメガネ装用者の顔面に適合しない場合は、メガネフレームの保持に支障を来たし、メガネフレームのずり落ちなどが生じ、装着感を著しく損ない、視力矯正にも悪影響をもたらすことにもなる。
【先行技術文献】
【特許文献】
【０００３】
【特許文献１】実用新案登録第３２０８４７５号公報
【非特許文献】
【０００４】
【非特許文献１】なし
【考案の概要】
【考案が解決しようとする課題】
【０００５】
ノーズパッドがその機能を発揮するには、それ自体適度な柔軟性と弾力性を持ち、一人として同じではないメガネ装用者の鼻梁に正しくフィットさせられることが必要であるが、この要求に応えられるノーズパッドはなかなか見当たらなかった。
【０００６】
そこで、本考案者は、実用新案登録３２０８４７５号として、全方向への揺動をスムーズに行えるだけではなく、表裏方向への弾性的な変位の為に十分なストロークを確保し、表裏方向へのスムーズな変位も可能にしたフィット感にすぐれたノーズパッドを提案し、製品化にも成功し、好評を得たが、このノーズパッドは形状が複雑な為、金型の製作なども容易ではなく、それに伴い製造コストも高額にならざるを得ず、コスト的には不満が残っていた。
又、形状の複雑さにより、長期間の装用や乱暴な取り扱いなどにより、使用中に壊れることもあり、耐久性にも問題があった。
【０００７】
本考案者は、この様な従来のノーズパッドの問題点に鑑み、鋭意研究を行った結果、全方向への円滑な揺動を行うことが出来、メガネフレームを装用した際に、装用者の鼻に密着させられ、しかも低コストで製造出来、耐久性にも富むノーズパッドを開発することに成功し、本考案としてここに提案するものである。
【課題を解決するための手段】
【０００８】
メガネフレームから延設されている金属製のノーズパッド取付足の先端に取付けられたパッドボックスに挿入連結されるパッドボックス結合ブロックを、軸芯方向に向ってくびれた柱状の接続片を介して軟質合成樹脂製のノーズパッド本体の裏面側に一体的に突設することにより、上記問題を解決した。
【考案の効果】
【０００９】
ノーズパッド本体の裏面から接続片を介して突設されているパッドボックス結合ブロックをノーズパッド取付足の先端に設けられたパッドボックス内に挿入連結して使用に供するものであり、接続片は軟質であり、その軸芯方向に向ってくびれており、このくびれ箇所を中心に上下左右方向に自由に撓むことが出来るので、メガネフレームを装用した際に、装着者の鼻梁の形状に応じてノーズパッド本体は弾性的に変位する。従って、千差万別一人として同じでない装用者の鼻梁にノーズパッド本体を無理なく確実にフィットさせ、メガネフレームのずり落ちを防ぎ、光学的に正しい位置にメガネフレームを保持させることが出来る効果を有する。
又、ノーズパッド本体、接続片、パッドボックス結合ブロックは一体化されており、しかも極めて単純な外形であるので、金型を用いた射出成型の手法により簡単に製作することが可能で、低コストで製造することが出来る効果を有する。
又、単純な外形で、特に脆弱な箇所もないので、長期間の装用や乱暴な取り扱いなどによっても、損傷する可能性も極めて少なく、すぐれた耐久性を有する。
【図面の簡単な説明】
【００１０】
【図１】この考案に係るノーズパッドの実施例１の裏面側から見た拡大平面図
【図２】同じく、図１における矢視Ａ方向から見た拡大側面図
【図３】同じく、図１における矢視Ｂ方向から見た拡大側面図
【考案を実施するための形態】
【００１１】
メガネフレームから延設されている金属製のノーズパッド取付足の先端に取付けられたパッドボックスに挿入連結されるパッドボックス結合ブロックを、軸芯方向に向ってくびれた柱状の接続片を介してノーズパッド本体の裏面側に一体的に突設すると共に、これらパッドボックス結合ブロック、接続片、ノーズパッド本体を共通の軟質合成樹脂で形成した点に最大の特徴がある。
【実施例】
【００１２】
図１乃至図３を参照しながら、この考案に係るノーズパッドの実施例について説明する。
図中１はノーズパッド本体であり、軟質合成樹脂を素材とし、表裏方向にゆるく弓形に彎曲しており、板状をなし、真上から見た場合、略楕円形を呈している。
【００１３】
そして、このノーズパッド本体１の裏面２の中央部からは、その軸芯方向に向ってくびれた丈の短い柱状を呈した接続片３が一体的に突設されており、この接続片３の先端には、図示を省略したメガネフレームから延設されている金属製のノーズパッド取付足５の先端に取付けられているパッドボックス７に挿入連結されるパッドボックス結合ブロック６が一体的に形成されている。なお、この実施例においては、接続片３は円柱状を呈しているが、角柱状やその他の形状のものであっても良い。図中８、９はパッドボックス７とパッドボックス結合ブロック６との結合の際に用いる貫通孔である。
【００１４】
これらノーズパッド本体１、接続片３、パッドボックス結合ブロック６は共通の軟質合成樹脂により一体的に形成されているが、その素材としては、弾力性、柔軟性の点からポリエステルやエチレンなどの軟質エラストマーが好適である。
【００１５】
この実施例は上記の通りの構成を有するものであり、ノーズパッド本体１の裏面から接続片３を介して突設されているパッドボックス結合ブロック６をノーズパッド取付足５の先端に設けられたパッドボックス７内に挿入連結して使用に供するものであり、接続片３は軟質であり、その軸芯方向に向ってくびれており、このくびれ箇所を中心に、図２及び図３においれ矢印で示す様に、上下左右方向に撓むことが出来るので、メガネフレームを装用した際に、装着者の鼻梁の形状に応じてノーズパッド本体１は弾性的に変位する。従って、千差万別一人として同じでない装用者の鼻梁にノーズパッド本体を無理なく確実にフィットさせ、メガネフレームのずり落ちを防ぎ、光学的に正しい位置にメガネフレームを保持させることが出来る。
【００１６】
又、ノーズパッド本体１、接続片３、パッドボックス結合ブロック６は一体化されており、しかも極めて単純な外径であるので、金型を用いた射出成型の手法により簡単に製作することが可能で、低コストで製造することが出来る。
又、単純な外形で、特に脆弱な箇所もないので、長期間の装用や、乱暴な取り扱いなどによっても、損傷する可能性は極めて少なく、すぐれた耐久性を有する。
【産業上の利用可能性】
【００１７】
視力矯正用メガネだけではなく、サングラス、防塵用メガネなどにおいても利用可能である。
【符号の説明】
【００１８】
１    ノーズパッド本体
２    裏面
３    接続片
５    ノーズパッド取付足
６    パッドボックス結合ブロック
７    パッドボックス
８    貫通孔
９    貫通孔
【図１】
0003234977.tif 000003
【図２】
0003234977.tif 000004
【図３】
0003234977.tif 000005